(57)【特許請求の範囲】
【請求項１】
車両内の撮像を行う撮像部により撮像された撮像画像を取得する取得部と、
前記取得部において取得された前記撮像画像を、前記撮像部に隣接する表示部に表示させるように制御する制御部と、
前記車両に乗車した乗客の運賃の支払いに際し、決済用画像を用いて実行される特定決済を含む複数の決済方法から一の決済方法を受け付ける受付部と、
前記受付部において前記特定決済が受け付けられた場合に、前記撮像部により撮像されている前記撮像画像から前記決済用画像を抽出し、前記決済用画像から前記特定決済の処理に用いる決済情報を特定する特定部と、
を備え、
前記制御部は、前記特定部による前記決済情報の特定が可能となる前記決済用画像の前記表示部における表示範囲を範囲表示として前記表示部に表示させるとともに、前記撮像部により撮像されている前記撮像画像に前記決済用画像が含まれる場合には、前記範囲表示内に前記決済用画像が位置するように前記表示部における前記範囲表示の表示位置を移動させる、
情報処理装置。
【請求項２】
前記制御部は、
前記撮像部により撮像されている前記撮像画像から前記特定部が前記決済情報を特定できるよう前記表示部における前記決済用画像の表示位置を誘導するために、前記表示部における前記決済用画像の表示位置を誘導する誘導表示として、前記撮像部側を指し示す表示、又は、前記決済用画像が表示された端末をかざさせる前記表示部の一部の領域を強調する表示を、前記撮像画像に重畳させて前記表示部に表示させる請求項１に記載の情報処理装置。
【請求項３】
前記制御部は、前記運賃を算出する運賃算出装置から前記運賃に関する情報を取得する前に、前記運賃の支払いに係る決済方法の入力を受け付ける受付画面を前記表示部に表示させる請求項１又は２に記載の情報処理装置。
【請求項４】
車両内の撮像を行う撮像部により撮像された撮像画像を取得する取得ステップと、
取得された前記撮像画像を、前記撮像部に隣接する表示部に表示させるように制御する制御ステップと、
前記車両に乗車した乗客の運賃の支払いに際し、決済用画像を用いて実行される特定決済を含む複数の決済方法から一の決済方法を受け付ける受付ステップと、
前記特定決済が受け付けられた場合に、前記撮像部により撮像されている前記撮像画像から前記決済用画像を抽出し、前記決済用画像から前記特定決済の処理に用いる決済情報を特定する特定ステップと、
前記決済情報の特定が可能となる前記決済用画像の前記表示部における表示範囲を範囲表示として前記表示部に表示させるとともに、前記撮像部により撮像されている前記撮像画像に前記決済用画像が含まれる場合には、前記範囲表示内に前記決済用画像が位置するように前記表示部における前記範囲表示の表示位置を移動させる表示ステップと、
を含む処理をコンピュータに実行させる情報処理プログラム。
【発明の詳細な説明】
【技術分野】
【０００１】
本発明は、情報処理装置及び情報処理プログラムに関する。
【背景技術】
【０００２】
特許文献１には、磁気カード、接触型ＩＣカード、及び非接触型ＩＣカードの３種類の各カードに対応する読取り位置を案内するガイド・マークが決済端末装置の表示画面に表示される技術が開示されている。
【先行技術文献】
【特許文献】
【０００３】
【特許文献１】特開２０１５−１２２１０６号公報
【発明の概要】
【発明が解決しようとする課題】
【０００４】
近年、決済方法としてＱＲコード（登録商標）やバーコードを用いたコード決済が普及し始めている。コード決済は、決済端末のカメラの所定の読取り範囲内に、スマートフォンやタブレット等のユーザ端末の画面に表示されたコードがかざされた場合にコードの読取りを行う。そのため、コード決済を行うユーザは、決済端末のカメラの所定の読取り範囲内にユーザ端末の画面に表示されたコードをかざす必要がある。
【０００５】
しかし、決済端末としてスマートフォンやタブレット等を使用する場合、表示部を見ながら隣接するカメラにユーザ端末をかざす動作は、ユーザ端末のカメラで撮像を行う際に、ユーザ端末の画面を見ながら被写体を捉える動作と撮像感覚が異なる。そのため、ユーザ側に向いたカメラにユーザ端末をかざして撮像することに慣れないユーザは、当該ユーザ端末の画面に表示されたコードを決済端末のカメラの所定の読取り範囲内にかざすまでに多くの時間を要することがある。
【０００６】
そこで、本発明は、車両内に設置された撮像部により決済用画像を撮像して決済を行う場合において、決済が完了するまでの時間を短縮可能な情報処理装置及び情報処理プログラムを提供することを目的とする。
【課題を解決するための手段】
【０００７】
上記課題を解決するために、本発明は、以下のような構成を備える。
本発明に係る情報処理装置は、車両内の撮像を行う撮像部により撮像された撮像画像を取得する取得部と、前記取得部において取得された前記撮像画像を、前記撮像部に隣接する表示部に表示させるように制御する制御部と、前記車両に乗車した乗客の運賃の支払いに際し、決済用画像を用いて実行される特定決済を含む複数の決済方法から一の決済方法を受け付ける受付部と、前記受付部において前記特定決済が受け付けられた場合に、前記撮像部により撮像されている前記撮像画像から前記決済用画像を抽出し、前記決済用画像から前記特定決済の処理に用いる決済情報を特定する特定部と、を備え、前記制御部は、前記特定部による前記決済情報の特定が可能となる前記決済用画像の前記表示部における表示範囲を範囲表示として前記表示部に表示させるとともに、前記撮像部により撮像されている前記撮像画像に前記決済用画像が含まれる場合には、前記範囲表示内に前記決済用画像が位置するように前記表示部における前記範囲表示の表示位置を移動させる。
【０００８】
また、本発明に係る情報処理装置の具体例としては、さらに、前記制御部は、前記撮像部により撮像されている前記撮像画像から前記特定部が前記決済情報を特定できるよう前記表示部における前記決済用画像の表示位置を誘導するために、前記表示部における前記決済用画像の表示位置を誘導する誘導表示として、前記撮像部側を指し示す表示、又は、前記決済用画像が表示された端末をかざさせる前記表示部の一部の領域を強調する表示を、前記撮像画像に重畳させて前記表示部に表示させる。
【０００９】
また、本発明に係る情報処理装置の具体例としては、さらに、前記制御部は、前記特定部による前記決済情報の特定が可能となる前記決済用画像の前記表示部における表示範囲を範囲表示として前記表示部に表示させるとともに、前記撮像部により撮像されている前記撮像画像に前記決済用画像が含まれる場合には、前記範囲表示内に前記決済用画像が位置するように前記表示部における前記範囲表示の表示位置を移動させる。
【００１０】
また、本発明に係る情報処理装置の具体例としては、さらに、前記制御部は、前記運賃を算出する運賃算出装置から前記運賃に関する情報を取得する前に、前記運賃の支払いに係る決済方法の入力を受け付ける受付画面を前記表示部に表示させる。
【００１１】
本発明に係る情報処理プログラムは、車両内の撮像を行う撮像部により撮像された撮像画像を取得する取得ステップと、取得された前記撮像画像を、前記撮像部に隣接する表示部に表示させるように制御する制御ステップと、前記車両に乗車した乗客の運賃の支払いに際し、決済用画像を用いて実行される特定決済を含む複数の決済方法から一の決済方法を受け付ける受付ステップと、前記特定決済が受け付けられた場合に、前記撮像部により撮像されている前記撮像画像から前記決済用画像を抽出し、前記決済用画像から前記特定決済の処理に用いる決済情報を特定する特定ステップと、前記決済情報の特定が可能となる前記決済用画像の前記表示部における表示範囲を範囲表示として前記表示部に表示させるとともに、前記撮像部により撮像されている前記撮像画像に前記決済用画像が含まれる場合には、前記範囲表示内に前記決済用画像が位置するように前記表示部における前記範囲表示の表示位置を移動させる表示ステップと、を含む処理をコンピュータに実行させる。
【発明の効果】
【００１２】
本発明によれば、車両内に設置された撮像部により決済用画像を撮像して決済を行う場合において、決済が完了するまでの時間を短縮することができる。
【図面の簡単な説明】
【００１３】
【図１】第１の実施形態における決済システムのシステム構成図である。
【図２】本実施の形態における決済端末のハードウェア構成を示すブロック図である。
【図３】本実施の形態における運賃の支払いに係る決済方法の入力を受け付ける受付画面の表示例である。
【図４】本実施の形態におけるＣＰＵの機能構成を示すブロック図である。
【図５】本実施の形態におけるコード決済の流れを示すフローチャートである。
【図６】本実施の形態におけるコード決済中における表示部の表示例である。
【図７】本実施の形態におけるコード決済中における表示部の表示例である。
【図８】第２の実施形態における決済システムのシステム構成図である。
【図９】本実施の形態の変形例におけるコード決済中における表示部の表示例である。
【発明を実施するための形態】
【００１４】
以下、本実施の形態に係る決済システム１０について説明する。この決済システム１０は、車両の一例としてのタクシーの乗客が運賃をＱＲコード（登録商標）やバーコードを用いた特定決済の一例としてのコード決済で支払う際のシステムである。
【００１５】
（第１の実施形態）
図１に示すように、第１の実施形態における決済システム１０は、タクシー内に設置された決済端末２０、メーター装置３０、及び車内用端末４０と、乗客が携帯している乗客端末５０と、決済事業者が管理する決済用サーバ６０とで構成される。
【００１６】
情報処理装置としての決済端末２０は、メーター装置３０が送信した運賃に対する決済処理を行うものである。決済端末２０は、紙幣及び硬貨といった現金を使わずに決済可能な所謂キャッシュレスな決済方法に対応する決済処理を行い、例えば、電子マネー決済、クレジットカード決済及びコード決済の複数の決済方法を実行可能とされている。そして、決済端末２０は、例えば、乗務員が操作可能となるよう乗務員席近傍に設置されている。
【００１７】
運賃算出装置としてのメーター装置３０は、例えば、乗務員が操作可能となるよう乗務員席近傍に設置され、走行距離や時間に応じた運賃を自動的に計算して、当該運賃を決済端末２０に送信するものである。メーター装置３０は、降車位置に到着した場合に、計算した運賃を含んだ運賃に関する情報を決済端末２０に送信する。
【００１８】
車内用端末４０は、例えば、助手席ヘッドレストに後述する表示部４４及び撮像部４６（図３参照）が車両後方側を向くように設置されたタブレット端末である。車内用端末４０は、例えば、インターネット、ＷＡＮ（Ｗｉｄｅ  Ａｒｅａ  Ｎｅｔｗｏｒｋ）等で構成されるネットワークＮに接続可能とされている。
車内用端末４０は、決済処理において、決済方法としてコード決済が行われる場合に、決済端末２０による制御に基づいて、撮像部４６による撮像を行うとともに、決済処理に対する通知等の各種の情報を表示部４４に表示させる。
また、タクシー内に設置された決済端末２０、メーター装置３０、及び車内用端末４０は、例えば、Ｗｉ−Ｆｉ（登録商標）及びＢｌｕｅｔｏｏｔｈ（登録商標）等の通信規格を用いて相互に無線通信が行われる。
【００１９】
乗客端末５０は、例えば、ネットワークＮに接続可能なスマートフォンやタブレット端末等の携帯型の端末装置である。乗客端末５０は、例えば、決済処理において、決済方法としてコード決済が行われる場合に、乗客端末５０の画面に表示された決済用画像９４を車内用端末４０の撮像部４６の所定の読取り範囲内にかざすことで、車内用端末４０を介して決済用サーバ６０にコード決済の処理に用いる決済情報を取得させる。
【００２０】
決済用画像９４は、図７に示すように、ＱＲコード（登録商標）が表示されたコード画像である。
決済情報は、乗客が利用するコード決済に登録された銀行口座の情報、クレジットカードの情報、コード決済用の残高の情報等である。
【００２１】
決済用サーバ６０は、コード決済を提供する決済事業者が管理するコンピュータである。決済用サーバ６０は、ネットワークＮに接続可能とされ、例えば、決済処理において、決済方法としてコード決済が行われる場合に、決済情報を取得し、当該決済情報に対応するユーザ（乗客）のコード決済用の残高から当該運賃の金額を減算する。
【００２２】
次に、決済端末２０のハードウェア構成について説明する。
図２は、決済端末２０のハードウェア構成を示すブロック図である。
図２に示すように、決済端末２０は、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２４、ＲＡＭ（Ｒａｎｄｏｍ  Ａｃｃｅｓｓ  Ｍｅｍｏｒｙ）２６、及び入出力インターフェース（Ｉ／Ｏ）２８がバスを介して相互に通信可能に接続されている。
【００２３】
ＣＰＵ２２は、中央演算処理ユニットであり、各種プログラムを実行したり、各部を制御したりする。すなわち、ＣＰＵ２２は、ＲＯＭ２４からプログラムを読み出し、ＲＡＭ２６を作業領域としてプログラムを実行する。ＣＰＵ２２は、ＲＯＭ２４に記録されているプログラムにしたがって、上記各構成の制御及び各種の演算処理を行う。
【００２４】
ＲＯＭ２４は、各種プログラム及び各種データを格納する。この各種プログラムには、少なくとも、コンピュータに、後述するコード決済の処理を実行させるための情報処理プログラムとしての決済用プログラムが含まれている。
【００２５】
ＲＡＭ２６は、作業領域として一時的にプログラム又はデータを記憶する。
Ｉ／Ｏ２８には、記憶部７０、決済表示部７２、操作部７４及び通信部７６が接続されている。
【００２６】
記憶部７０は、例えば、ＨＤＤ、ＳＳＤ（Ｓｏｌｉｄ  Ｓｔａｔｅ  Ｄｒｉｖｅ）、フラッシュメモリ等の記憶装置により構成される。
【００２７】
決済表示部７２は、決済処理において、例えば、決済に係る金額や各種の指示が表示される表示画面である。
操作部７４は、各種の指示を受け付けるための操作ボタン群により構成される。
通信部７６は、決済端末２０が他の機器と通信するための通信インターフェースである。
【００２８】
次に、図３を用いて、車内用端末４０について説明する。
図３に示すように、車内用端末４０は、筐体４２と、表示部４４と、撮像部４６と、を備えている。
筐体４２は、箱状の部材であり、表示部４４及び撮像部４６等の各種部材を収納するものである。
【００２９】
表示部４４には、例えば、液晶ディスプレイ（ＬＣＤ:Ｌｉｑｕｉｄ  Ｃｒｙｓｔａｌ  Ｄｉｓｐｌａｙ）や、有機ＥＬ（Ｅｌｅｃｔｒｏ  Ｌｕｍｉｎｅｓｃｅｎｃｅ）ディスプレイ等が用いられる。この表示部４４は、タッチパネルを一体的に有しており、８インチから９インチ程度の表示画面を有している。
【００３０】
表示部４４は、乗客又は乗務員から各種の指示を受け付ける。表示部４４は、乗客又は乗務員から受け付けた指示に応じて実行された処理の結果や、処理に対する通知等の各種の情報を表示する。
【００３１】
撮像部４６は、例えば、ＣＣＤ(Ｃｈａｒｇｅ  Ｃｏｕｐｌｅｄ  Ｄｅｖｉｃｅ)やＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ)等の固体撮像素子を備えたカメラにより構成される。この撮像部４６は、車内用端末４０において、表示部４４に隣接するよう配置されている。具体的には、撮像部４６は、表示部４４を囲む筐体４２の矩形状の枠部分の短手側において、後部座席に座った乗客に対して右側に配置されている。
【００３２】
また、図３は、運賃の支払いに係る決済方法の入力を受け付ける受付画面９２の表示例であるが、この詳細については後述する。
【００３３】
次に、図４を用いて、ＣＰＵ２２の機能について説明する。
図４に示すように、ＣＰＵ２２は、ＲＯＭ２４に記憶されたプログラムを実行することで、撮像制御部８０、取得部８２、受付部８４、制御部８６、特定部８８及び実行部９０として機能する。
【００３４】
撮像制御部８０は、撮像部４６の動作を制御するものである。例えば、撮像制御部８０は、撮像部４６の起動や停止を制御したり、撮像部４６のフォーカスを所定の画像に合わせる制御を行ったりする。
取得部８２は、タクシー内の撮像を行う撮像部４６により撮像された撮像画像を取得するものである。
【００３５】
受付部８４は、タクシーに乗車した乗客の運賃の支払いに際し、決済用画像９４（図７参照）を用いて実行されるコード決済を含む複数の決済方法から一の決済方法を受け付けるものである。
複数の決済方法には、図３に示すように、コード決済の他、現金決済、クレジットカード決済、及び電子マネー決済が設けられている。
【００３６】
制御部８６は、車内用端末４０が有するスピーカーから出力される音声や表示部４４に表示される画像を制御するものである。例えば、制御部８６は、取得部８２において取得された撮像画像やその他の任意の画像を表示部４４に表示させる。
【００３７】
特定部８８は、受付部８４においてコード決済が受け付けられた場合に、撮像部４６により撮像されている撮像画像から決済用画像９４を抽出し、その決済用画像９４からコード決済の処理に用いる決済情報を特定するものである。
【００３８】
実行部９０は、メーター装置３０から送信された運賃を乗客に請求する決済処理を実行するものである。
【００３９】
次に、コード決済の流れについて説明する。
上記のように、図３は、運賃の支払いに係る決済方法の入力を受け付ける受付画面９２の表示例である。図３に示すように、表示部４４には、受付画面９２として、「現金決済」、「クレジットカード決済」、「電子マネー決済」及び「コード決済」の４種類の決済方法が表示されている。制御部８６は、メーター装置３０から運賃に関する情報を取得した後、例えば、降車位置に到着した後に、上記の受付画面９２を表示部４４に表示させている。そして、乗客が受付画面９２を操作することで決済方法が決定される。以下の説明は、当該運賃の支払いに係る決済方法として「コード決済」が選択されたことを前提として記載する。
【００４０】
図５は、コード決済の流れを示すフローチャートであり、図６及び図７はコード決済中に表示部４４に表示される表示例である。
【００４１】
図５に示すステップＳ１０において、撮像制御部８０は、撮像部４６を起動させ、撮像部４６による撮像を開始させる。また、撮像部４６による撮像が開始したことに基づき、取得部８２は、撮像部４６により撮像された撮像画像の取得を開始する。そして、ステップＳ１１に進む。
【００４２】
ステップＳ１１において、制御部８６は、表示部４４に画像を表示させる。具体的には、制御部８６は、取得部８２において取得された撮像画像に、範囲表示４４Ａ及び誘導表示４４Ｂ（図６参照）を重畳させて表示部４４に表示させる。この場合、制御部８６は、撮像画像よりも範囲表示４４Ａ及び誘導表示４４Ｂを優先して表示させる。つまり、制御部８６は、撮像画像と範囲表示４４Ａ及び誘導表示４４Ｂとが重畳する部分については、範囲表示４４Ａ及び誘導表示４４Ｂが視認可能となるよう表示させる。
【００４３】
範囲表示４４Ａは、特定部８８による決済情報の特定が可能となる決済用画像９４の表示部４４における表示範囲を示す表示である。例えば、図６に示すように、制御部８６は、範囲表示４４Ａとして、表示部４４の画面中央に破線で示す四角形の枠を表示させている。
誘導表示４４Ｂは、撮像部４６により撮像されている撮像画像から特定部８８が決済情報を特定できるよう表示部４４における決済用画像９４の表示位置を誘導するために、表示部４４における決済用画像９４の表示位置を誘導する表示である。例えば、図６に示すように、制御部８６は、誘導表示４４Ｂとして、範囲表示４４Ａの右側に撮像部４６側を指し示す矢印を表示させている。そして、ステップＳ１２に進む。
【００４４】
ステップＳ１２において、特定部８８は、撮像部４６により撮像されている撮像画像に決済用画像９４が含まれるか否かを判定する。そして、特定部８８が、撮像部４６により撮像されている撮像画像に決済用画像９４が含まれると判定した場合はステップＳ１３に進み、撮像部４６により撮像されている撮像画像に決済用画像９４が含まれると判定しない場合はステップＳ１４に進む。
【００４５】
ステップＳ１３において、決済用画像９４の追跡が行われる。具体的には、撮像制御部８０は、特定部８８が決済情報を特定できるように撮像部４６のフォーカスを決済用画像９４に合わせる制御を行う。また、制御部８６は、撮像部４６が決済用画像９４にフォーカスを合わせる動作に同期して、範囲表示４４Ａ内に決済用画像９４が位置するように表示部４４における範囲表示４４Ａの表示位置を移動させる。例えば、図７に示すように、制御部８６は、表示部４４の画面中央に表示されている範囲表示４４Ａを左上に移動させ、範囲表示４４Ａの枠内に決済用画像９４を位置させる。そして、ステップＳ１４に進む。
【００４６】
ステップＳ１４において、特定部８８は、乗客端末５０に表示された決済用画像９４から決済情報が特定可能か否かを判定する。そして、特定部８８が、乗客端末５０に表示された決済用画像９４から決済情報を特定可能と判定した場合はステップＳ１５に進み、乗客端末５０に表示された決済用画像９４から決済情報を特定可能と判定しない場合はステップＳ１２に戻る。
【００４７】
ステップＳ１５において、実行部９０は、コード決済による運賃の決済処理を実行する。そして、当該処理を終了する。
【００４８】
（作用効果）
コード決済において、車内用端末４０の表示部４４を見ながら隣接する撮像部４６に乗客端末５０をかざす動作は、乗客端末５０のカメラで撮像を行う際に、乗客端末５０の画面を見ながら被写体を捉える動作と撮像感覚が異なる。そのため、乗客側に向いた撮像部４６に乗客端末５０をかざして撮像することに慣れないユーザは、当該乗客端末５０の画面に表示された決済用画像９４を撮像部４６の所定の読取り範囲内にかざすまでに多くの時間を要することがある。
【００４９】
そこで、第１の実施形態における決済端末２０は、上記の課題を解決すべく、以下の構成を備えている。
具体的には、決済端末２０は、撮像部４６により撮像された撮像画像を取得する取得部８２と、撮像画像を表示部４４に表示させるように制御する制御部８６と、決済用画像９４を用いて実行されるコード決済を含む複数の決済方法から一の決済方法を受け付ける受付部８４と、コード決済が受け付けられた場合に、撮像部４６により撮像されている撮像画像から決済用画像９４を抽出し、その決済用画像９４から決済情報を特定する特定部８８と、を備えている。
【００５０】
また、制御部８６は、特定部８８が決済情報を特定できるように、表示部４４における決済用画像９４の表示位置を乗客に報知する。具体的には、制御部８６は、撮像部４６により撮像されている撮像画像から特定部８８が決済情報を特定できるよう表示部４４における決済用画像９４の表示位置を誘導するために、表示部４４における決済用画像９４の表示位置を誘導する誘導表示４４Ｂを、撮像部４６により撮像されている撮像画像に重畳させて表示部４４に表示させる。
【００５１】
ここで、コード決済に慣れていない乗客は、乗客端末５０のカメラで撮像を行う撮像感覚で乗客端末５０の画面に表示された決済用画像９４を車内用端末４０の表示部４４にかざすことが想定される。例えば、乗客が表示部４４の画面中央に向けて乗客端末５０をかざすと、撮像部４６が表示部４４に対して右側に配置されているため、撮像された決済用画像９４が表示部４４の画面左側に表示されてしまう。この場合は、決済用画像９４が撮像部４６の所定の読取り範囲内に位置していないことが多く、コード決済を実行することができない。
【００５２】
これに対し、第１の実施形態では、誘導表示４４Ｂにより撮像部４６の位置を指し示すことで乗客端末５０のかざし位置を誘導でき、乗客端末５０の画面に表示された決済用画像９４を撮像部４６の所定の読取り範囲内にかざすことが容易となる。そのため、第１の実施形態によれば、タクシー内に設置された撮像部４６により決済用画像９４を撮像して決済を行う場合において、決済が完了するまでの時間を短縮することができる。
【００５３】
また、制御部８６は、特定部８８による決済情報の特定が可能となる決済用画像９４の表示部４４における表示範囲を範囲表示４４Ａとして表示部４４に表示させる（図６参照）。さらに、制御部８６は、撮像部４６により撮像されている撮像画像に決済用画像９４が含まれる場合には、範囲表示４４Ａ内に決済用画像９４が位置するように表示部４４における範囲表示４４Ａの表示位置を移動させる（図７参照）。
【００５４】
そのため、第１の実施形態によれば、決済端末２０側で撮像部４６により撮像された決済用画像９４を追跡し、当該決済用画像９４から決済情報を特定することができる。
【００５５】
（第２の実施形態）
図８に示すように、第２の実施形態における決済システム１０は、タクシー内に設置された決済端末２０及びメーター装置３０と、乗客が携帯している乗客端末５０と、決済事業者が管理する決済用サーバ６０とで構成される。
第２の実施形態における情報処理装置としての決済端末２０は、第１の実施形態と異なり、例えば、助手席ヘッドレストにカメラ及びディスプレイが車両後方側を向くように設置されたタブレット端末である。つまり、この決済端末２０は、第１の実施形態において車内用端末４０が備えていた撮像部４６による撮像機能及び表示部４４やスピーカーによる報知機能を備えている。
【００５６】
以上のように、情報処理装置の一例を、撮像機能、報知機能及び決済機能を備えたタブレット端末として、コード決済を１台の装置で実行可能に構成してもよい。
【００５７】
（その他）
上記の実施形態では、決済システム１０が行われる車両を「タクシー」として説明したが、これに限らず、バスや電車等の他の車両でも決済システム１０を適用可能である。
【００５８】
上記の実施形態では、決済用画像９４をＱＲコード（登録商標）が表示されたコード画像としたが、これに限らず、決済用画像９４としてバーコードを表示してもよいし、ＱＲコード（登録商標）及びバーコードの双方を表示してもよい。
【００５９】
上記の実施形態では、誘導表示４４Ｂとして、範囲表示４４Ａの右側に撮像部４６側を指し示す矢印を表示したが（図６参照）、誘導表示４４Ｂの表示態様はこれに限られない。例えば、図９に示すように、制御部８６は、誘導表示４４Ｂとして、表示部４４の一部の領域を強調するハイライト表示を行うとともに、当該領域内に「この領域内にかざしてください。」との文字を表示させてもよい。
【００６０】
上記の実施形態では、制御部８６が誘導表示４４Ｂを表示部４４に表示させることで、特定部８８が決済情報を特定できるように、表示部４４における決済用画像９４の表示位置を乗客に報知していた。しかし、これに限らず、前記の報知として、制御部８６が「もう少し上です」、「もう少し右です」等の音声を決済端末２０又は車内用端末４０が有するスピーカーから出力させてもよい。
【００６１】
上記の実施形態では、撮像制御部８０は、撮像部４６の動作を制御することとして、撮像部４６の起動や停止を制御したり、撮像部４６のフォーカスを所定の画像に合わせる制御を行ったりするとした。しかし、これに加え、撮像制御部８０は、図５に示すステップＳ１１の前に、タクシー内の明度に基づいて撮像部４６の露出補正を調整する制御を行ってもよい。
【００６２】
上記の実施形態では、メーター装置３０から運賃に関する情報を取得した後、例えば、降車位置に到着した後に、制御部８６が受付画面９２を表示部４４に表示させていた。しかし、これに限らず、メーター装置３０から運賃に関する情報を取得する前、例えば、降車位置に到着する前に、制御部８６が受付画面９２を表示部４４に表示させてもよい。
【００６３】
ここで、タクシーの乗客は、電車や飛行機への乗り継ぎのために降車位置に到着すると直ぐに降車したいとの要望を有することが多い。そのため、上記のように構成すれば、降車位置に到着する前に運賃の支払いに係る決済方法の入力を受け付けることで、降車時に行う決済時間を短縮でき、降車に要する時間を早めることができる。
【００６４】
上記の実施形態では、決済端末２０がキャッシュレスな決済方法として、例えば、電子マネー決済、クレジットカード決済及びコード決済の複数の決済方法を実行可能とされていた。しかし、これに限らず、決済端末２０、メーター装置３０、車内用端末４０、乗客端末５０、及び決済用サーバ６０で構成される決済システム１０において、上記の実施形態で決済端末２０が備えていたコード決済の処理を実行するための各種機能（図４に示すＣＰＵ２２の機能）を車内用端末４０が備え、上記の実施形態で決済端末２０のＣＰＵ２２が実行していた処理を車内用端末４０のＣＰＵで実行する構成としてもよい。
【００６５】
なお、上記の実施形態でＣＰＵ２２がソフトウェア（プログラム）を読み込んで実行したコード決済の処理を、ＣＰＵ２２以外の各種のプロセッサが実行してもよい。例えば、車内用端末４０に所定のアプリケーションソフトウェアをダウンロードして、図４に示す決済端末２０のＣＰＵ２２の機能を車内用端末４０に備えさせることでコード決済の処理を車内用端末４０で実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、コード決済の処理を、これらの各種のプロセッサのうちの１つで実行してもよいし、同種又は異種の２つ以上のプロセッサの組み合わせ（例えば、複数のＦＰＧＡ、及びＣＰＵ２２とＦＰＧＡとの組み合わせ等）で実行してもよい。また、これらの各種のプロセッサのハードウェア的な構造は、より具体的には、半導体素子等の回路素子を組み合わせた電気回路である。
【００６６】
また、上記の実施形態では、コード決済の処理の決済用プログラムがＲＯＭ２４に予め記憶（インストール）されている態様を説明したが、これに限定されない。決済用プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、決済用プログラムは、ネットワークＮを介して外部装置からダウンロードされる形態としてもよい。
【符号の説明】
【００６７】
２０  決済端末
３０  メーター装置
４４  表示部
４６  撮像部
５０  乗客端末
８２  取得部
８４  受付部
８６  制御部
８８  特定部
【図１】
0006944001.tif 000002
【図２】
0006944001.tif 000003
【図３】
0006944001.tif 000004
【図４】
0006944001.tif 000005
【図５】
0006944001.tif 000006
【図６】
0006944001.tif 000007
【図７】
0006944001.tif 000008
【図８】
0006944001.tif 000009
【図９】
0006944001.tif 000010